(57)【要約】【課題】装置の大型化を抑え、光軸の方向を手軽に調整することができる光源保持具、光源ユニット、および撮影装置を提供する。【解決手段】所定の光軸に沿った光を発する光源を保持する保持部と、光源の前方に位置し光軸に交わる回動面内で回動自在な、光源の光を透過させる、その光の入射面と出射面との双方が平面状で互いに非平行な窓部材とを備えた。光源の光軸方向と目標方向とのずれ量に応じた窓部材を用いて、その窓部材をずれ方向に応じて回動させることによって、光源から発せられた光を容易に目標方向に効率よく照射することができる。【選択図】        図３
2008107724.tif 000002
【特許請求の範囲】
【請求項１】
所定の光軸に沿った光を発する光源を保持する保持部と、
前記光源の前方に位置し前記光軸に交わる回動面内で回動自在な、該光源の光を透過させる、その光の入射面と出射面との双方が平面状で互いに非平行な窓部材とを備えたことを特徴とする光源保持具。
【請求項２】
前記保持部が、前記光源を保持するとともに、前記窓部材も直接あるいは間接に保持するものであることを特徴とする請求項１記載の光源保持具。
【請求項３】
前記窓部材を複数備え、それら複数の窓部材が、互いに独立に回転自在なものであることを特徴とする請求項１記載の光源保持具。
【請求項４】
前記窓部材を２つ備え、それら２つの窓部材が、前記入射面と前記出射面との非平行度が互いに同等で、互いに独立に回転自在なものであることを特徴とする請求項１記載の光源保持具。
【請求項５】
前記保持部が、前記窓部材の回動面とは非平行な保持面を有し該回動面と平行な回動面内で回動自在な保持板の該保持面上に前記光源を保持するものであることを特徴とする請求項１記載の光源保持具。
【請求項６】
前記保持部が、前記窓部材による前記光源の光の屈折角度と同程度に該窓部材の回動面に対して傾いた保持面を有し該回動面と平行な回動面内で回動自在な保持板の該保持面上に前記光源を保持するものであることを特徴とする請求項１記載の光源保持具。
【請求項７】
板形状を有しその板形状に沿った回動面内で回動自在な、その回動の中心からずれた貫通孔を有し該貫通孔で、所定の光軸に沿った光を発する光源を、該光軸が該貫通孔内を通るように保持する第１の保持板と、
板形状を有し、前記第１の保持板の回動面に沿った回動面内で、該第１の保持板における回動の中心と同等な中心の廻りに、該第１の保持板とは独立に回動自在な、その回動の中心からずれた貫通孔を有し該貫通孔で、前記光源が前記第１の保持板の貫通孔で保持されている箇所とは前記光軸方向にずれた箇所を保持する第２の保持板とを備えたことを特徴とする光源保持具。
【請求項８】
前記第１の保持板および前記第２の保持板は、各々の貫通孔が回動の中心から互いに同程度にずれたものであることを特徴とする請求項７記載の光源保持具。
【請求項９】
表裏面が互いに非平行な板形状を有し、該表裏面のうちの一方の面である第１面を回動面として回動自在な第１の回動板と、
表裏面が互いに非平行な板形状を有し、該表裏面のうちの一方の面である保持面上に、所定の光軸に沿った光を発する光源を、該光軸が該保持面に交わるように保持する、該表裏面のうち該保持面とは逆の摺擦面が、前記第１の回動板の表裏面のうち前記第１面とは逆の第２面と摺擦し、該摺擦面を回動面として回動自在な第２の回動板とを備えたことを特徴とする光源保持具。
【請求項１０】
前記第１の回動板および前記第２の回動版は、表裏面の非平行度が互いに同等なものであることを特徴とする請求項９記載の光源保持具。
【請求項１１】
所定の光軸に沿った光を発する光源と、
前記光源を保持する保持部と、
前記光源の前方に位置し前記光軸に交わる回動面内で回動自在な、該光源の光を透過させる、その光の入射面と出射面との双方が平面状で互いに非平行な窓部材とを備えたことを特徴とする光源ユニット。
【請求項１２】
所定の光軸に沿った光を発する光源と、
板形状を有しその板形状に沿った回動面内で回動自在な、その回動の中心からずれた貫通孔を有し該貫通孔で、前記光源を、前記光軸が該貫通孔内を通るように保持する第１の保持板と、
板形状を有し、前記第１の保持板の回動面に沿った回動面内で、該第１の保持板における回動の中心と同等な中心の廻りに、該第１の保持板とは独立に回動自在な、その回動の中心からずれた貫通孔を有し該貫通孔で、前記光源が前記第１の保持板の貫通孔で保持されている箇所とは前記光軸方向にずれた箇所を保持する第２の保持板とを備えたことを特徴とする光源ユニット。
【請求項１３】
所定の光軸に沿った光を発する光源と、
表裏面が互いに非平行な板形状を有し、該表裏面のうちの一方の面である第１面を回動面として回動自在な第１の回動板と、
表裏面が互いに非平行な板形状を有し、該表裏面のうちの一方の面である保持面上に、前記光源を、前記光軸が該保持面に交わるように保持する、該表裏面のうち該保持面とは逆の摺擦面が、前記第１の回動板の表裏面のうち前記第１面とは逆の第２面と摺擦し、該摺擦面を回動面として回動自在な第２の回動板とを備えたことを特徴とする光源ユニット。
【請求項１４】
ピント調整用の光学部材を含む撮影光学系により撮像素子上に被写体像を結像して画像信号を生成する撮影装置において、
所定の光軸に沿った光を発する光源と、該光源を保持する保持部と、および該光源の前方に位置し前記光軸に交わる回動面内で回動自在な、該光源の光を透過させる、その光の入射面と出射面との双方が平面状で互いに非平行な窓部材とを備えた光源ユニット、
前記光源ユニットの発光中に、前記光学部材をピント調整用に駆動する光学部材駆動部、および
前記光学部材駆動部による前記光学部材の駆動中に、前記撮像素子で得られる画像信号のコントラストを算出することにより合焦を検出する合焦検出部を備えたことを特徴とする撮影装置。
【請求項１５】
ピント調整用の光学部材を含む撮影光学系により撮像素子上に被写体像を結像して画像信号を生成する撮影装置において、
所定の光軸に沿った光を発する光源と、板形状を有しその板形状に沿った回動面内で回動自在な、その回動の中心からずれた貫通孔を有し該貫通孔で、前記光源を、該光軸が該貫通孔内を通るように保持する第１の保持板と、板形状を有し、前記第１の保持板の回動面に沿った回動面内で、該第１の保持板における回動の中心と同等な中心の廻りに、該第１の保持板とは独立に回動自在な、その回動の中心からずれた貫通孔を有し該貫通孔で、前記光源が前記第１の保持板の貫通孔で保持されている箇所とは前記光軸方向にずれた箇所を保持する第２の保持板とを備えた光源ユニット、
前記光源ユニットの発光中に、前記光学部材をピント調整用に駆動する光学部材駆動部、および
前記光学部材駆動部による前記光学部材の駆動中に、前記撮像素子で得られる画像信号のコントラストを算出することにより合焦を検出する合焦検出部を備えたことを特徴とする撮影装置。
【請求項１６】
ピント調整用の光学部材を含む撮影光学系により撮像素子上に被写体像を結像して画像信号を生成する撮影装置において、所定の光軸に沿った光を発する光源と、
表裏面が互いに非平行な板形状を有し、該表裏面のうちの一方の面である第１面を回動面として回動自在な第１の回動板と、表裏面が互いに非平行な板形状を有し、該表裏面のうちの一方の面である保持面上に、前記光源を、該光軸が該保持面に交わるように保持する、該表裏面のうち該保持面とは逆の摺擦面が、前記第１の回動板の表裏面のうち前記第１面とは逆の第２面と摺擦し、該摺擦面を回動面として回動自在な第２の回動板とを備えた光源ユニット、
前記光源ユニットの発光中に、前記光学部材をピント調整用に駆動する光学部材駆動部、および
前記光学部材駆動部による前記光学部材の駆動中に、前記撮像素子で得られる画像信号のコントラストを算出することにより合焦を検出する合焦検出部を備えたことを特徴とする撮影装置。
【発明の詳細な説明】
【技術分野】
【０００１】
本発明は、光源を保持する光源保持具、光源ユニット、および被写体を撮影する撮影装置に関する。
【背景技術】
【０００２】
従来から、撮影装置で被写体を撮影する際には、自動的にピントをあわせるオートフォーカス（以下、ＡＦと称する）が広く採用されている。撮影装置にＡＦ機能が備えられることによって、撮影者がファインダを覗きながら自分で焦点を調節する必要がなく、初心者でも容易に鮮明な撮影画像を得ることができる。
【０００３】
ＡＦ機能の一般的な実現方法の１つは、レンズを通ってきた被写体光をＣＣＤなどといった撮像素子で受光するＴＴＬ（Ｔｈｒｏｕｇｈ  Ｔｈｅ  Ｌｅｎｓ）方式を用いた方法であり、レンズを光軸方向に移動させながら被写体光のコントラストを測定し、そのコントラストに基づいて合焦位置を検出するものである。このＴＴＬ方式を行う場合、被写体の輝度が暗いと被写体と背景とのコントラストをうまく検出することができず、正確に合焦位置を検出することができない。このため、被写体輝度が暗い場合には、ピント調整補助光として照射角度を狭めた光（いわゆるスポット光）を被写体に向けて発光して、精度よくコントラストを検出することが行われている。
【０００４】
また、近年では、撮影装置のバッテリをなるべく長時間使いたいという要望が増えており、ピント調整補助光用の光源に対して、省電力に、効率よく被写体を照射することが求められている。限定された電力量で十分な照射光量を得るためには、低電力なＬＥＤなどを適用して消費電力を低減するとともに、被写体方向において光量がピークになるように、光源から発せられる光の照射方向を被写体方向に合わせることが必要となる。
【０００５】
しかし、光源を製造するにあたり、ＬＥＤやフィラメントの発光部分を常に精度良く同じ位置に形成することは困難であり、光源の光軸が目標方向から大きくずれてしまうことがある。このような光源を撮影装置にそのまま取り付けてしまうと、光源から発せられた光の光量ピーク位置が被写体方向からずれてしまい、被写体を十分に照射することができなくなってしまうという問題がある。
【０００６】
この点に関し、特許文献１には、レバーが設けられた光源を撮影装置に対して上下左右に回転自在に取り付け、レバーを動かして光源の向きを調整する技術について記載されており、特許文献２には、穴があけられた保持部材に光源を取り付け、その穴から光源の向きを調整する技術について記載されている。これら特許文献１および特許文献２の技術を適用し、光軸方向が被写体方向に合うように、光源の向きを調整してから光源を撮影装置に固定することによって、被写体に効率よく光を照射することができる。
【特許文献１】特開平１１−１７４５３４号公報
【特許文献２】特開２００３−２２８１０１号公報
【発明の開示】
【発明が解決しようとする課題】
【０００７】
しかし、特許文献１に記載された技術では、光源にレバーが設けられるため、撮影装置が大型化してしまう。また、特許文献２に記載された技術では、小さな穴を通して光源の向きを高精度に調整することは困難であるという問題がある。
【０００８】
本発明は、上記事情に鑑み、装置の大型化を抑え、光の照射方向を手軽に調整することができる光源保持具、光源ユニット、および撮影装置を提供することを目的とする。
【課題を解決するための手段】
【０００９】
上記目的を達成する本発明の第１の光源保持具は、所定の光軸に沿った光を発する光源を保持する保持部と、
光源の前方に位置し光軸に交わる回動面内で回動自在な、光源の光を透過させる、その光の入射面と出射面との双方が平面状で互いに非平行な窓部材とを備えたことを特徴とする。
【００１０】
本発明の第１の光源保持具によると、窓部材の入射面および出射面の非平行度に応じて、光源から発せられた光の屈折角度が調整され、窓部材の回動位置に応じて、光の屈折方位が調整される。したがって、光源の光軸方向と目標方向とのずれ量に応じた窓部材を選択し、その窓部材をずれ方向に応じて回動させることによって、光源から発せられた光の照射方向を目標方向に容易に調整することができる。また、光源を移動させるためのレバーなどを備える必要がなく、装置全体を小型化することができる。
【００１１】
また、本発明の第１の光源保持具において、上記保持部が、光源を保持するとともに、窓部材も直接あるいは間接に保持するものであることが好ましい。
【００１２】
保持部によって光源と窓部材とが保持されることによって、光源保持具の部品数が減少し、光源保持具をさらに小型化することができる。
【００１３】
また、本発明の第１の光源保持具において、上記窓部材を複数備え、それら複数の窓部材が、互いに独立に回転自在なものであることが好ましい。
【００１４】
複数の窓部材が互いに独立に回転されることによって、光源から発せられた光の屈折角度と屈折方位との双方を窓部材の交換なしで調整することができる。
【００１５】
また、本発明の第１の光源保持具において、上記窓部材を２つ備え、それら２つの窓部材が、入射面と出射面との非平行度が互いに同等で、互いに独立に回転自在なものであることが好適である。
【００１６】
本発明の好適な第１の光源保持具によると、光軸と目標方向とのズレが所定範囲内に収まっているすべての光源に対し、光源から発せられた光の照射方向を目標方向に容易に合わせることができる。
【００１７】
また、本発明の第１の光源保持具において、上記保持部が、窓部材の回動面とは非平行な保持面を有し回動面と平行な回動面内で回動自在な保持板の保持面上に光源を保持するものであることも好ましい。
【００１８】
窓部材および保持板をそれぞれ独立に回動させることによって、光源から発せられた光の屈折角度と屈折方位と調整することができる。
【００１９】
また、本発明の第１の光源保持具において、上記保持部が、窓部材による光源の光の屈折角度と同程度に窓部材の回動面に対して傾いた保持面を有し回動面と平行な回動面内で回動自在な保持板の保持面上に光源を保持するものであることが好ましい。
【００２０】
光軸と目標方向とのズレが所定範囲内に収まっているすべての光源に対し、光源から発せられた光の照射方向を目標方向に容易に合わせることができる。
【００２１】
また、上記目的を達成する本発明の第２の光源保持具は、板形状を有しその板形状に沿った回動面内で回動自在な、その回動の中心からずれた貫通孔を有しその貫通孔で、所定の光軸に沿った光を発する光源を、光軸が貫通孔内を通るように保持する第１の保持板と、
板形状を有し、第１の保持板の回動面に沿った回動面内で、第１の保持板における回動の中心と同等な中心の廻りに、第１の保持板とは独立に回動自在な、その回動の中心からずれた貫通孔を有し貫通孔で、光源が第１の保持板の貫通孔で保持されている箇所とは光軸方向にずれた箇所を保持する第２の保持板とを備えたことを特徴とする。
【００２２】
尚、本発明にいう「板形状に沿った回動面」とは、板に対して沿っていればよくて板に完全に平行であることは不要であり、板の表裏が入れ替わらないような回動を生じる回動面であることを意味し、板の表裏が入れ替わるような回動を生じる板形状に交わる回動面と区別する意味である。
【００２３】
本発明の第２の光源保持具によると、第１の保持板および第２の保持板それぞれを独立に回動させることにより、回動中心に対する光源の傾きについて角度と方向が変更され、光源から発せられた光の照射角度と照射方向とを容易に調整することができる。
【００２４】
また、本発明の第２の光源保持具において、上記第１の保持板および上記第２の保持板は、各々の貫通孔が回動の中心から互いに同程度にずれたものであることが好ましい。
【００２５】
光軸と目標方向とのズレが所定範囲内に収まっているすべての光源に対し、光源から発せられた光の照射方向を目標方向に容易に合わせることができる。
【００２６】
また、上記目的を達成する本発明の第３の光源保持具は、表裏面が互いに非平行な板形状を有し、表裏面のうちの一方の面である第１面を回動面として回動自在な第１の回動板と、
表裏面が互いに非平行な板形状を有し、表裏面のうちの一方の面である保持面上に、所定の光軸に沿った光を発する光源を、光軸が保持面に交わるように保持する、表裏面のうち保持面とは逆の摺擦面が、第１の回動板の表裏面のうち第１面とは逆の第２面と摺擦し、摺擦面を回動面として回動自在な第２の回動板とを備えたことを特徴とする。
【００２７】
本発明の第３の光源保持具によると、第１の回動板と第２の回動板とをそれぞれに回動させることにより、光源から発せられる光の照射角度と照射方向との双方を容易に調整することができる。
【００２８】
また、本発明の第３の光源保持具において、上記第１の回動板および上記第２の回動版は、表裏面の非平行度が互いに同等なものであることが好適である。
【００２９】
本発明の好適な第３の光源保持具によると、光軸と目標方向とのズレが所定範囲内に収まっているすべての光源に対し、光源から発せられた光の照射方向を目標方向に容易に合わせることができる。
【００３０】
また、上記目的を達成する本発明の第１の光源ユニットは、所定の光軸に沿った光を発する光源と、
光源を保持する保持部と、
光源の前方に位置し光軸に交わる回動面内で回動自在な、光源の光を透過させる、その光の入射面と出射面との双方が平面状で互いに非平行な窓部材とを備えたことを特徴とする。
【００３１】
本発明の第１の光源ユニットによると、窓部材を回動させることにより、光源から発せられた光を容易に目標方向に照射することができる。
【００３２】
尚、本発明の第１の光源ユニットについては、ここではその基本形態のみを示すのにとどめるが、本発明の第１の光源ユニットには、上記の基本形態のみではなく、前述した第１の光源保持具の各形態に対応する各種の形態が含まれる。
【００３３】
また、上記目的を達成する本発明の第２の光源ユニットは、所定の光軸に沿った光を発する光源と、
板形状を有しその板形状に沿った回動面内で回動自在な、その回動の中心からずれた貫通孔を有しその貫通孔で、光源を、光軸が貫通孔内を通るように保持する第１の保持板と、
板形状を有し、第１の保持板の回動面に沿った回動面内で、第１の保持板における回動の中心と同等な中心の廻りに、第１の保持板とは独立に回動自在な、その回動の中心からずれた貫通孔を有し貫通孔で、光源が第１の保持板の貫通孔で保持されている箇所とは光軸方向にずれた箇所を保持する第２の保持板とを備えたことを特徴とする。
【００３４】
本発明の第２の光源ユニットによると、第１の保持板と第２の保持板とをそれぞれに回動させることにより、光源から発せられた光の照射角度と照射方向との双方を容易に調整することができる。
【００３５】
尚、本発明の第２の光源ユニットについても、ここではその基本形態のみを示すのにとどめるが、本発明の第２の光源ユニットには、上記の基本形態のみではなく、前述した第２の光源保持具の各形態に対応する各種の形態が含まれる。
【００３６】
また、上記目的を達成する本発明の第３の光源ユニットは、所定の光軸に沿った光を発する光源と、
表裏面が互いに非平行な板形状を有し、表裏面のうちの一方の面である第１面を回動面として回動自在な第１の回動板と、
表裏面が互いに非平行な板形状を有し、表裏面のうちの一方の面である保持面上に、光源を、光軸が保持面に交わるように保持する、表裏面のうち保持面とは逆の摺擦面が、第１の回動板の表裏面のうち第１面とは逆の第２面と摺擦し、摺擦面を回動面として回動自在な第２の回動板とを備えたことを特徴とする。
【００３７】
本発明の第３の光源ユニットによると、第１の回動板と第２の回動板とをそれぞれに独立に回動させることにより、光源から発せられた光の照射角度と照射方向との双方を容易に調整することができる。
【００３８】
尚、本発明の第３の光源ユニットについても、ここではその基本形態のみを示すのにとどめるが、本発明の第３の光源ユニットには、上記の基本形態のみではなく、前述した第３の光源保持具の各形態に対応する各種の形態が含まれる。
【００３９】
また、上記目的を達成する本発明の第１の撮影装置は、ピント調整用の光学部材を含む撮影光学系により撮像素子上に被写体像を結像して画像信号を生成する撮影装置において、
所定の光軸に沿った光を発する光源と、光源を保持する保持部と、および光源の前方に位置し光軸に交わる回動面内で回動自在な、光源の光を透過させる、その光の入射面と出射面との双方が平面状で互いに非平行な窓部材とを備えた光源ユニット、
光源ユニットの発光中に、光学部材をピント調整用に駆動する光学部材駆動部、および
光学部材駆動部による光学部材の駆動中に、撮像素子で得られる画像信号のコントラストを算出することにより合焦を検出する合焦検出部を備えたことを特徴とする。
【００４０】
本発明の第１の撮影装置によると、装置の大型化を抑えて、光源から発せられた光を被写体に効率よく照射させることができ、被写体に精度良く焦点を合わせることができる。
【００４１】
尚、本発明の第１の撮影装置についても、ここではその基本形態のみを示すのにとどめるが、本発明の第１の撮影装置には、上記の基本形態のみではなく、前述した第１の光源保持具の各形態に対応する各種の形態が含まれる。
【００４２】
また、上記目的を達成する本発明の第２の撮影装置は、ピント調整用の光学部材を含む撮影光学系により撮像素子上に被写体像を結像して画像信号を生成する撮影装置において、
所定の光軸に沿った光を発する光源と、板形状を有しその板形状に沿った回動面内で回動自在な、その回動の中心からずれた貫通孔を有し貫通孔で、光源を、光軸が貫通孔内を通るように保持する第１の保持板と、板形状を有し、第１の保持板の回動面に沿った回動面内で、第１の保持板における回動の中心と同等な中心の廻りに、第１の保持板とは独立に回動自在な、その回動の中心からずれた貫通孔を有し貫通孔で、光源が第１の保持板の貫通孔で保持されている箇所とは光軸方向にずれた箇所を保持する第２の保持板とを備えた光源ユニット、
光源ユニットの発光中に、光学部材をピント調整用に駆動する光学部材駆動部、および
光学部材駆動部による光学部材の駆動中に、撮像素子で得られる画像信号のコントラストを算出することにより合焦を検出する合焦検出部を備えたことを特徴とする。
【００４３】
本発明の第２の撮影装置によると、被写体に焦点が合った高画質な撮影画像を容易に得ることができる。
【００４４】
尚、本発明の第２の撮影装置についても、ここではその基本形態のみを示すのにとどめるが、本発明の第２の撮影装置には、上記の基本形態のみではなく、前述した第２の光源保持具の各形態に対応する各種の形態が含まれる。
【００４５】
また、上記目的を達成する本発明の第３の撮影装置は、ピント調整用の光学部材を含む撮影光学系により撮像素子上に被写体像を結像して画像信号を生成する撮影装置において、所定の光軸に沿った光を発する光源と、
表裏面が互いに非平行な板形状を有し、表裏面のうちの一方の面である第１面を回動面として回動自在な第１の回動板と、表裏面が互いに非平行な板形状を有し、表裏面のうちの一方の面である保持面上に、光源を、光軸が保持面に交わるように保持する、表裏面のうち保持面とは逆の摺擦面が、第１の回動板の表裏面のうち第１面とは逆の第２面と摺擦し、摺擦面を回動面として回動自在な第２の回動板とを備えた光源ユニット、
光源ユニットの発光中に、光学部材をピント調整用に駆動する光学部材駆動部、および
光学部材駆動部による光学部材の駆動中に、撮像素子で得られる画像信号のコントラストを算出することにより合焦を検出する合焦検出部を備えたことを特徴とする。
【００４６】
本発明の第３の撮影装置によると、被写体に焦点が合った高画質な撮影画像を容易に得ることができる。
【００４７】
尚、本発明の第３の撮影装置についても、ここではその基本形態のみを示すのにとどめるが、本発明の第３の撮影装置には、上記の基本形態のみではなく、前述した第３の光源保持具の各形態に対応する各種の形態が含まれる。
【発明の効果】
【００４８】
本発明によれば、装置の大型化を抑え、光軸の方向を手軽に調整することができる光源保持具、光源ユニット、および撮影装置を提供することができる。
【発明を実施するための最良の形態】
【００４９】
以下、本発明の実施形態について説明する。
【００５０】
図１は、本発明の撮影装置の一実施形態であるデジタルカメラ１００の外観図である。
【００５１】
図１に示すように、デジタルカメラ１００の中央には、フォーカスレンズを含む撮像光学系が内蔵されたレンズ鏡筒１７０が配備されている。レンズ鏡筒１７０の上方には、ユーザが撮影画角を確認するために覗くファインダ１０５や、フォーカスレンズの合焦位置を検出するＡＦ処理時に光を発光するＬＥＤ１６０ａ（図２参照）が内蔵されたＡＦ補助光発光部１６０が配備され、さらにそのＡＦ補助光発光部１６０の隣には、撮影時に閃光を発光する閃光発光部１８０が配備されている。ＡＦ補助光発光部１６０は、本発明の光源ユニットの一例に相当する。
【００５２】
また、デジタルカメラ１００の上面には、シャッタボタン１０２と、スライド式の電源スイッチ１０１ａ、被写体の撮影を行う撮影モードと、画像データを再生する再生モードとを切り替えるモードスイッチ１０１ｅが設けられている。シャッタボタン１０２は、半押し、および全押しの２段階に押下可能であり、シャッタボタン１０２が半押しされると、ＡＦ補助光発光部１６０内のＬＥＤ１６０ａからＡＦ補助光が発光されて焦点を合わせるための合焦位置検出がカメラ１００の内部で行われ、シャッタボタン１０２が全押しされると、実際の撮影が行われる。
【００５３】
図２は、デジタルカメラ１００のブロック図である。
【００５４】
このデジタルカメラ１００では、すべての処理がメインＣＰＵ１１０によって制御されており、このメインＣＰＵ１１０の入力部には、図１に示した各種スイッチ１０１ａ，１０１ｅからの操作信号がそれぞれ供給されている。メインＣＰＵ１１０は、ＥＥＰＲＯＭ１１０ａを有しており、このＥＥＰＲＯＭ１１０ａの中にはデジタルカメラ１００として動作するために必要なプログラムが書き込まれている。デジタルカメラ１００の電源スイッチ１０１ａが投入されると、ＥＥＰＲＯＭ１１０ａに書き込まれたプログラム手順に従って、メインＣＰＵ１１０によって、デジタルカメラ１００全体の動作が制御される。
【００５５】
まず、画像信号の流れを図２を参照して説明する。
【００５６】
ユーザによって電源スイッチ１０１ａが投入されると、メインＣＰＵ１１０により電源スイッチ１０１ａが投入されたことが検知され、電源１３０からメインＣＰＵ１１０、測光・測距ＣＰＵ１２０などの各ブロックに電力が供給される。電源１３０が投入されたときにモードレバー１０１ｅが撮影側に切り替えられている場合には、撮影光学系１１１を通過してきた被写体光がＣＣＤ１１２で受光され、ＣＣＤ１１２において、クロックジェネレータ（以下、ＣＧと称する）１１２１から供給されるタイミング信号に従って、所定の間隔ごとに画像信号が間引かれて出力される。撮影光学系１１１は、本発明にいう撮影光学系の一例にあたり、ＣＣＤ１１２は、本発明にいう撮像素子の一例に相当する。ＣＧ１１２１は、ＣＣＤ１１２のほか、後段のＡ／Ｄ（アナログ／デジタル変換）部１１３、およびホワイトバランス調整・γ処理部１１４にも供給されている。したがって、ＣＣＤ１１２、Ａ／Ｄ部１１３、ホワイトバランス・γ処理部１１４では、そのタイミング信号に同期して順序良く処理が行われる。
【００５７】
ＣＣＤ１１２から出力された画像信号は、Ａ／Ｄ部１１３でデジタルの画像データに変換され、ホワイトバランス・γ処理部１１４でホワイトバランス調整やγ補正が施される。補正処理が施された画像データは、一旦バッファメモリ１１５に保存され、バッファメモリ１１５に保存された画像データは所定のタイミングごとにＹＣ処理部１１６に転送される。ＹＣ処理部１１６に転送された画像データは、ＲＧＢデータからＹＣデータに変換され、その後、バス１２１を介してその変換されたＹＣデータが画像表示ＬＣＤ１５側に供給される。この画像表示ＬＣＤ１５の前段には、ＹＣデータをＲＧＢデータに変換するＹＣ−ＲＧＢ変換部１５１が設けられており、このＹＣ−ＲＧＢ変換部１５１でＹＣデータが再び、但し今度は表示用のＲＧＢデータに変換され、その変換されたＲＧＢデータがドライバ１５２を経由して画像表示ＬＣＤ１５に供給される。画像表示ＬＣＤ１５では、ＲＧＢデータが表わす撮影画像が表示される。前述したように、ＣＧ１１２１から出力されるタイミング信号に同期してＣＣＤ１１２で生成された画像信号が処理されているため、この画像表示ＬＣＤ１５上には撮影レンズが向けられた方向の被写体が被写体像として常に表示され続ける。  ユーザによってシャッタボタン１０２が半押しされると、ＣＣＤ１１２で間引かれて読み取られた画像データが、測光・測距ＣＰＵ１２０に送られる。
【００５８】
測光・測距ＣＰＵ１２０では、画像データに基づいて被写体の輝度が算出され、算出された被写体の輝度はメインＣＰＵ１１０に送られる。メインＣＰＵ１１０では、シャッタスピードや絞り１１１２の絞り値が決定される。決定されたシャッタスピードや絞り値は測光・測距ＣＰＵ１２０に送られ、絞り１１１２が決定された絞り値に調整される。
【００５９】
続いて、測光・測距ＣＰＵ１２０は、ＬＥＤ１６０ａを発光させる。ＬＥＤ１６０ａが発光されると、フォーカスレンズ１１１０に取り付けられたモータ（図示しない）によってフォーカスレンズ１１１０が光軸方向に移動されながら、測光・測距ＣＰＵ１２０において、ＣＣＤ１１２で得られる画像データに基づいてコントラストが算出される。算出されたコントラストはメインＣＰＵ１１０に送られ、メインＣＰＵ１１０で、算出されたコントラストが最大になるときのフォーカスレンズ１１０の位置が合焦位置と決定される。フォーカスレンズ１１１０は、本発明にいう光学部材の一例にあたり、測光・測距ＣＰＵ１２０と、フォーカスレンズ１１０に取り付けられたモータを合わせたものは、本発明にいう光学部材駆動部の一例に相当する。また、測光・測距ＣＰＵ１２０とメインＣＰＵ１１０とを合わせたものは、本発明にいう合焦検出部の一例に相当する。
【００６０】
合焦位置が決定すると、メインＣＰＵ１１０では測光・測距ＣＰＵ１２０に合焦位置が伝えられ、測光・測距ＣＰＵ１２０では、フォーカスレンズ１１１０が合焦位置に移動される。
【００６１】
続いて、ユーザによってシャッタボタン１０２が全押しされると、本撮影が開始する。メインＣＰＵ１１０からの指示に応じて、測光・測距ＣＰＵ１２０はＣＣＤ１１２での露光を開始させる。ここでは、ＣＣＤ１１２で被写体光が間引かれずに読み取られて画像信号が生成される。生成された画像信号は、Ａ／Ｄ部１１３でデジタルの画像データに変換され、ホワイトバランス・γ処理部１１４で画像処理が施され、一旦バッファメモリ１１５に格納される。バッファメモリに記憶された画像データは、所定のタイミングごとにＹＣ処理部１１６に転送され、ＹＣ処理部でＹＣデータに変換される。さらに、圧縮・伸張部１１７で圧縮処理が施され、Ｉ／Ｆ１１８を介してメモリカード１１９に記録される。
【００６２】
また、ユーザによってデジタルカメラ１００のモードレバー１０１ｅが再生側に切り替えられたときには、メモリカード１１９に記録された圧縮済の画像データが伸張されて、伸張後の画像データに基づく撮影画像が画像表示ＬＣＤ１５に表示される。
【００６３】
デジタルカメラ１００は、基本的には以上のように構成されている。
【００６４】
ここで、本実施形態のデジタルカメラ１００では、その製造過程において、ＬＥＤ１６０ａから発せられたＡＦ補助光が被写体方向に照射されるように、ＡＦ補助光の照射方向と照射角度が調整されている。以下では、ＡＦ補助光発光部１６０の構成および組み立て方法について詳しく説明する。
【００６５】
図３は、ＡＦ補助光発光部１６０の概略構成図である。
【００６６】
ＡＦ補助光発光部１６０は、ＬＥＤ１６０ａ、ＬＥＤ１６０ａを保持する保持部材２１０、および保持部材２１０に回動自在に保持され、ＬＥＤ１６０ａから発せられたＡＦ補助光を透過する窓部材２２０で構成されている。保持部材２１０は、本発明にいう保持部の一例にあたり、窓部材２２０は、本発明にいう窓部材の一例に相当する。
【００６７】
ＡＦ補助光発光部１６０を組み立てる際には、まず、保持部材２１０にＬＥＤ１６０ａが固定され、保持部材２１０を予め用意されている目標照射位置に向けた状態で、ＬＥＤ１６０ａが発光される。続いて、ＬＥＤ１６０ａから発せられた光の照射位置と、目標照射位置とのずれ量が計測される。
【００６８】
本実施形態のデジタルカメラ１００では、複数の窓部材２２０が用意されており、計測されたずれ量に応じて、複数の窓部材のうちの１つの窓部材２２０が選択されて取り付けられる。
【００６９】
図４は、複数の窓部材を示す図である。
【００７０】
図４に示すように、デジタルカメラ１００には、ＬＥＤ１６０ａから発せられた光が入射する入射面２２１が、光が出射する出射面２２２に対して大きく傾いた第１の窓部材２２０Ａと、入射面２２１が出射面２２２に対して中程度に傾いた第２の窓部材２２０Ｂと、入射面２２１と出射面２２２とが平行な第３の窓部材２２０Ｃとが用意されている。例えば、ＬＥＤ１６０ａから各窓部材２２０Ａ，２２０Ｂ，２２０Ｃに光Ｌが照射されると、図４のパート（Ａ）に示す第１の窓部材２２０Ａでは、光Ｌが大きく屈折され、図４のパート（Ｂ）に示す第２の窓部材２２０Ｂでは、光Ｌが小さく屈折され、図４のパート（Ｃ）に示す第３の窓部材２２０Ｃでは、光Ｌが屈折されずに直行する。
【００７１】
上述した計測において、ＬＥＤ１６０ａから発せられた光の照射位置と、目標照射位置とのずれ量がほぼ「０」である場合には、入射光が屈折されない第３の窓部材２２０Ｃが選択され、ずれ量が所定値よりも大きい場合には、入射光が大きく屈折される第１の窓部材２２０Ａが選択され、それ以外の場合には、入射光が小さく屈折される第２の窓部材２２０Ｂが選択される。
【００７２】
選択された窓部材２２０は、ＬＥＤ１６０ａの前方を覆うように保持部材２１０に取り付けられる。
【００７３】
窓部材２２０が取り付けられると、保持部材２１０が再び目標照射位置に向けられて、ＬＥＤ１６０ａが発光される。さらに、窓部材２２０が保持部材２１０に対して回動され、ＬＥＤ１６０ａから発せられた光が目標照射位置に移動してくると、その回動位置で窓部材２２０が保持部材２１０に固定される。
【００７４】
以上のようにして、ＡＦ補助光発光部１６０が組み立てられる。
【００７５】
ＡＦ補助光発光部１６０では、入射面２２１と出射面２２２との非平行度合いが相互に異なる複数の窓部材２２０Ａ，２２０Ｂ，２２０Ｃから１つの窓部材２２０が選択されて取り付けられることによって、ＬＥＤ１６０ａから発せられた光の屈折角度が調整され、保持部材２１０に対して窓部材２２０が回動されることによって、光の屈折方位が調節される。このように、ＡＦ補助光発光部１６０によると、ＬＥＤ１６０ａの光軸方向が目標の光軸方向からずれてしまっている場合であっても、そのＬＥＤ１６０ａから発せられた光が目標の光軸方向に照射されるように容易に調整することができる。
【００７６】
光の照射位置が調整されたＡＦ補助光発光部１６０は、デジタルカメラ１００内に搭載され、ＡＦ処理時には、ＡＦ補助光発光部１６０から被写体に光が発せられて、被写体のコントラストが検出される。本実施形態のデジタルカメラ１００によると、電力量を増加させずに十分な光量の光を被写体に照射することができ、被写体に焦点が合った高画質な撮影画像を得ることができる。
【００７７】
以上で、本発明の第１実施形態の説明を終了し、本発明の第２実施形態について説明する。本発明の第２実施形態では、窓部材が２つ備えられている点が第１実施形態とは異なるが、それ以外は第１実施形態とほぼ同様の構成を有しているため、第１実施形態と同じ要素については同じ符号を付して説明を省略し、第１実施形態との相違点についてのみ説明する。
【００７８】
図５は、本発明の第２実施形態であるＡＦ補助光発光部１６１の概略構成図である。
【００７９】
ＡＦ補助光発光部１６１は、図３に示す第１実施形態のＡＦ補助光発光部１６０とは異なり、２枚の窓部材３２０，３３０が備えられており、一方の窓部材３２０が保持部材３１０に直接保持されており、他方の窓部材３３０は、一方の窓部材３２０を介して保持部材３１０に間接的に保持されている。また、２枚の窓部材３２０，３３０は、保持部材３１０に対して、相互に独立に回動自在に保持されている。２枚の窓部材３２０，３３０は、本発明にいう複数の窓部材の一例に相当する。
【００８０】
図６は、２枚の窓部材３２０，３３０の拡大図である。
【００８１】
図６に示すように、被写体側（図６の上側）の窓部材３２０は、光が入射する入射面３２１が光が出射する出射面３２２に対して傾いており、ＬＥＤ１６０ａ側（図６の下側）の窓部材３３０は、出射面３２２が入射面３２１に対して傾いている。また、２枚の窓部材３２０，３３０は、各々の入射面と出射面との非平行度が同等に形成されている。
【００８２】
２枚の窓部材３２０，３３０が保持部材３１０に対して回動され、被写体側（図の上側）の窓部材３２０の入射面３２１と、ＬＥＤ１６０ａ側（図の下側）の窓部材３３０の出射面３２２が平行になるように調整された状態で、窓部材３２０，３３０に光Ｌが照射されると、光Ｌは屈折されずに直行する。また、被写体側（図の上側）の窓部材３２０の入射面３２１と、ＬＥＤ１６０ａ側（図の下側）の窓部材３３０の出射面３２２とが非平行になるように、窓部材３２０，３３０を回動させていくと、それらの非平行度が大きくなるほど、光Ｌが大きく屈折される。
【００８３】
ＡＦ補助光発光部１６１を組み立てる際には、第１実施形態のＡＦ補助光発光部１６０を組み立てる際と同様に、まず、保持部材３１０にＬＥＤ１６０ａが固定される。続いて、保持部材３１０に２枚の窓部材３２０，３３０が取り付けられ、保持部材３１０を予め用意されている目標照射位置に向けた状態で、ＬＥＤ１６０ａが発光される。
【００８４】
さらに、２枚の窓部材３２０，３３０が一体的に回動されることによって、光の屈折方位が調整され、被写体側（図の上側）の窓部材３２０を固定したまま、ＬＥＤ１６０ａ側（図の下側）の窓部材３３０が回動されて、それらが相互に向き合う面同士の非平行度が調整されることにより、光の屈折角度が調整される。
【００８５】
ＬＥＤ１６０ａから発せられた光が目標照射位置にくるように調整されると、その状態で２枚の窓部材３２０，３３０が保持部材３１０に対して固定される。
【００８６】
このように、本実施形態のＡＦ補助光発光部１６１によると、２枚の窓部材３２０，３３０をそれぞれに回動させるだけで、ＬＥＤ１６０ａから発せられた光が目標の光軸方向に照射されるように容易に調整することができる。
【００８７】
以上で、本発明の第２実施形態の説明を終了し、本発明の第３実施形態について説明する。本発明の第３実施形態では、第１実施形態とほぼ同様の構成を有するため、第１実施形態と同じ要素については同じ符号を付して説明を省略し、第１実施形態との相違点についてのみ説明する。
【００８８】
図７は、本発明の第３実施形態であるＡＦ補助光発光部１６２の概略構成図である。
【００８９】
ＡＦ補助光発光部１６２は、図３に示す第１実施形態のＡＦ補助光発光部１６０と同様の窓部材２２０とＬＥＤ１６０ａが備えられているが、保持部材が、窓部材２２０およびＬＥＤ１６０ａを直接保持する第２部材４２０と、第２部材４２０を回動自在に保持する第１部材４１０とで構成されている点が第１実施形態とは異なる。
【００９０】
本実施形態においては、図４に示す複数の窓部材２２０Ａ，２２０Ｂ，２２０Ｃのうち、入射面２２１が出射面２２２に対して中程度に傾いた第２の窓部材２２０Ｂが適用される。
【００９１】
また、第２部材４２０は、窓部材２２０を回動自在に保持する第１保持部４２１と、ＬＥＤ１６０ａを保持する第２保持部４２２とを有しており、第１保持部４２１の、窓部材２２０を保持している保持面４２１Ａに対し、第２保持部４２２の、ＬＥＤ１６０ａを保持している保持面４２２Ａが傾いている。尚、本実施形態では、第２保持部４２２の保持面４２２Ａが、第１保持部４２１の保持面４２１Ａに対し、窓部材２２０によるＬＥＤ１６０ａの光の屈折角度と同程度に傾いている。保持面４２２Ａは、本発明にいう保持面の一例にあたり、第２保持部４２２は、本発明にいう保持板の一例に相当する。
【００９２】
ＡＦ補助光発光部１６２を組み立てる際には、まず、第２保持部４２２にＬＥＤ１６０ａが固定され、第２保持部４２２に窓部材２２０が取り付けられ、さらに、第１部材４１０に第２部材４２０が取り付けられる。
【００９３】
ＡＦ補助光発光部１６２の各種要素が仮固定されると、ＡＦ補助光発光部１６２を予め用意されている目標照射位置に向けて、ＬＥＤ１６０ａが発光される。
【００９４】
続いて、第２部材４２０が第１部材４１０に対して回動されることによって、光の屈折方位が大まかに調整され、第２部材４２０と窓部材２２０とが相互に独立に回動されることにより、光の屈折角度が調整される。
【００９５】
ＬＥＤ１６０ａから発せられた光が目標照射位置に照射されると、その状態で第２部材４２０が第１部材４１０に対して固定され、窓部材２２０が第２部材４２０に対して固定される。
【００９６】
このように、本実施形態のＡＦ補助光発光部１６２においても、窓部材２２０と第２部材４２０をそれぞれに回動させるだけで、ＬＥＤ１６０ａから発せられた光の照射位置を容易に調整することができる。
【００９７】
以上で、本発明の第３実施形態の説明を終了し、本発明の第４実施形態について説明する。本発明の第４実施形態についても、第１実施形態と同じ要素については同じ符号を付して説明を省略し、第１実施形態との相違点についてのみ説明する。
【００９８】
図８は、本発明の第４実施形態であるＡＦ補助光発光部１６３の概略構成図である。
【００９９】
ＡＦ補助光発光部１６３は、図３に示す第１実施形態のＡＦ補助光発光部１６０とは異なり、窓部材２２０が備えられていない。本実施形態のＡＦ補助光発光部１６３では、第２部材５２０、第３部材５３０の２つでＬＥＤ１６０ａが保持されており、それら第２部材５２０、第３部材５３０が第１部材５１０に対し、それぞれ独立に回動自在に保持されている。
【０１００】
図９は、第１部材５１０、第２部材５２０、第３部材５３０を図８の上方から見た概略図である。
【０１０１】
第１部材５１０には、貫通孔５１１が設けられており、その貫通孔５１１の内側に、第２部材５２０および第３部材５３０を、貫通孔５１１の中心Ｏを回動中心に回動自在に保持している。
【０１０２】
また、第２部材５２０および第３部材５３０には、回動中心Ｏから同程度だけずれた位置に貫通孔５２１，５３１が設けられており、それら貫通孔５２１，５３１にＬＥＤ１６０ａが貫通される。第２部材５２０は、本発明にいう第１の保持板の一例にあたり、第３部材５３０は、本発明にいう第２の保持板の一例に相当する。
【０１０３】
図１０は、第２部材５２０および第３部材５３０それぞれの貫通孔５２１，５３１の位置と、ＬＥＤ１６０ａの向きとの関係を概略的に示す図である。
【０１０４】
図１０のパート（Ａ）に示すように、第２部材５２０および第３部材５３０それぞれの貫通孔５２１，５３１の位置が図の上下方向に揃っている場合には、ＬＥＤ１６０ａは、傾けられずにまっすぐに保持されている。
【０１０５】
また、図１０のパート（Ｂ）に示すように、第２部材５２０および第３部材５３０を第１部材５１０に対してそれぞれ独立に回転させていくと、それら第２部材５２０および第３部材５３０の貫通孔５２１，５３１の位置がずれ、それら貫通孔５２１，５３１の位置関係に応じた方向および角度でＬＥＤ１６０ａが傾けられる。
【０１０６】
第１部材５１０を予め用意された目標照射位置に向けてＬＥＤ１６０ａを発光させ、その光の照射位置が目標照射位置に合うまで、第２部材５２０および第３部材５３０を回動させる。光の照射位置が目標照射位置に合わせられると、第２部材５２０および第３部材５３０が第１部材４１０に対して固定される。
【０１０７】
このように、本実施形態のＡＦ補助光発光部１６３においても、第２部材５２０および第３部材５３０をそれぞれに回動させるだけで、ＬＥＤ１６０ａから発せられた光の照射位置を容易に調整することができる。
【０１０８】
以上で、本発明の第４実施形態の説明を終了し、本発明の第５実施形態について説明する。本発明の第５実施形態についても、第１実施形態と同じ要素については同じ符号を付して説明を省略し、第５実施形態との相違点についてのみ説明する。
【０１０９】
図１１は、本発明の第５実施形態であるＡＦ補助光発光部１６４の概略構成図である。
【０１１０】
ＡＦ補助光発光部１６４は、第１部材６１０、第２部材６２０、および第３部材６３０で構成された保持部によってＬＥＤ１６０ａが保持されている。第２部材６２０は、第１部材６１０に面接触して回動自在に保持されており、その第２部材６２０に第３部材６３０が面接触して回動自在に保持されている。第２部材６２０は、本発明にいう第１の回動板の一例にあたり、第３部材６３０は、本発明にいう第２の回動板の一例に相当する。
【０１１１】
図１２は、第２部材６２０、および第３部材６３０の拡大図である。
【０１１２】
図１２のパート（Ａ）に示すように、第２部材６２０は、第３部材６３０が保持される第２面６２２に、第１部材６１０によって保持される第１面６２１に対して傾いた溝６２２Ａが形成されている。また、図１２のパート（Ｂ）に示すように、第３部材６３０は、第２部材６２０と接触する接触面６３２が、接触面６３２の裏面である非接触面６３１に対して傾いている。尚、本実施形態では、第２部材６２０の溝６２２Ａと第１面６２１との非平行度が、第３部材６３０の接触面６３２と非接触面６３１との非平行度と同程度に形成されている。
【０１１３】
ＡＦ補助光発光部１６４を組み立てる際には、まず、第３部材６３０にＬＥＤ１６０ａが固定され、第２保持部６２０に第３部材６３０が取り付けられ、さらに、第２部材６２０が第１部材６１０に取り付けられる。
【０１１４】
続いて、第２保持部６２０が第１保持部６１０に対して回動されることによって、ＬＥＤ１６０ａから発せられる光の大まかな向きが調整され、第３保持部６３０が第２保持部６２０に対して回動されることによって、ＬＥＤ１６０ａから発せられる光の傾きが調整される。
【０１１５】
このように、本実施形態のＡＦ補助光発光部１６４においても、第２部材５２０および第３部材５３０をそれぞれに回動させるだけで、ＬＥＤ１６０ａから発せられた光の照射位置を容易に調整することができる。
【０１１６】
ここで、上記では、撮像素子としてＣＣＤを備えたデジタルカメラについて説明したが、本発明にいう撮像素子は、ＭＯＳなどであってもよい。
【０１１７】
また、上記では、本発明の撮影装置をデジタルカメラに適用する例について説明したが、本発明の撮影装置は、携帯電話や、銀塩カメラなどに適用してもよい。
【図面の簡単な説明】
【０１１８】
【図１】本発明の撮影装置の一実施形態であるデジタルカメラの外観図である。
【図２】デジタルカメラのブロック図である。
【図３】ＡＦ補助光発光部の概略構成図である。
【図４】複数の窓部材を示す図である。
【図５】本発明の第２実施形態であるＡＦ補助光発光部の概略構成図である。
【図６】２枚の窓部材の拡大図である。
【図７】本発明の第３実施形態であるＡＦ補助光発光部の概略構成図である。
【図８】本発明の第４実施形態であるＡＦ補助光発光部の概略構成図である。
【図９】第１部材、第２部材、第３部材を図８の上方から見た概略図である。
【図１０】第２部材および第３部材それぞれの貫通孔の位置と、ＬＥＤの向きとの関係を概略的に示す図である。
【図１１】本発明の第５実施形態であるＡＦ補助光発光部の概略構成図である。
【図１２】第２部材、および第３部材の拡大図である。
【符号の説明】
【０１１９】
１００    デジタルカメラ
１０１ａ    電源スイッチ
１０１ｅ    モードスイッチ
１０２    シャッタボタン
１０５    ファインダ
１１０    メインＣＰＵ
１１０ａ    ＥＥＰＲＯＭ
１１２    ＣＣＤ
１１３    Ａ／Ｄ部
１１４    ホワイトバランス調整・γ処理部
１１５    バッファメモリ
１１６    ＹＣ処理部
１１７    圧縮伸張部
１１９    メモリカード
１１１０    フォーカスレンズ
１１１２    絞り
１１２１    クロックジェネレータ
１２１    バス
１３０    電源
１５    画像表示ＬＣＤ
１５１    ＹＣ−ＲＧＢ変換部
１６０ａ    ＬＥＤ
１７０    レンズ鏡筒
１８０    閃光発光窓
【図１】
2008107724.tif 000003
【図２】
2008107724.tif 000004
【図３】
2008107724.tif 000005
【図４】
2008107724.tif 000006
【図５】
2008107724.tif 000007
【図６】
2008107724.tif 000008
【図７】
2008107724.tif 000009
【図８】
2008107724.tif 000010
【図９】
2008107724.tif 000011
【図１０】
2008107724.tif 000012
【図１１】
2008107724.tif 000013
【図１２】
2008107724.tif 000014